(57)【要約】    【課題】  清掃用処理液を所要位置に向けて噴出させることができ、シート状清掃材を清掃用ヘッドに保持して清掃を行う場合に、そのシート状清掃材により噴出部からの清掃用処理液の噴出が妨げられることが回避される。    【解決手段】  柄体Ｄの基端部の前側に、供給される洗浄液を前方へ噴出するための洗浄液噴出部ＤＤを固定的に設ける。柄体Ｄは、回動連結部材ＪＡにおける軸受筒状部ＪＢの回動軸線のまわりに回動して前後方向ＲＡ−ＲＡの傾斜角度が可変であると共に、回動連結部材ＪＡに対し連結軸Ｃのまわりに左右方向ＲＢ−ＲＢに回動が可能とする。【選択図】      図１
2007054338.tif 000002
【特許請求の範囲】
【請求項１】
少なくとも底面側に清掃材を保持してその清掃材で対象面を清掃する清掃用ヘッドと、清掃用ヘッドの上側に基部が連結されている柄を備える清掃用具であって、
前記柄に、清掃用処理液を前方に噴出するための噴出部が固定的に設けられており、
前記柄は、前記清掃用ヘッドに対する前後の傾斜角度及び各前後傾斜角度位置における左右の傾斜角度が、それぞれ所定以上の範囲で可変であり、
噴出部から清掃用処理液を噴出させるための操作部を備えることを特徴とする清掃用具。
【請求項２】
清掃用ヘッドの上側に、柄の基部を連結した位置付近から清掃用ヘッドの前縁部まで下降傾斜する清掃用処理液流下部を備える請求項１記載の清掃用具。
【発明の詳細な説明】
【技術分野】
【０００１】
本発明は、清掃用処理液を噴出しつつ対象面の清掃を行い得る清掃用具に関する。
【背景技術】
【０００２】
底面側に不織布シートを保持してその清掃材で対象面を清掃する清掃用ヘッドの上側に基部が連結されている柄を備える清掃用具としては、特表２００３−５０６１１０号公報（特許文献１）に記載されているように、清掃用ヘッドに洗浄液噴出部が設けられたものがある。
【０００３】
このような洗浄液噴出部を備えた従来の清掃用具の場合、洗浄液噴出部から噴出した洗浄液は前方の清掃対象面に散布されるが、洗浄液噴出部は清掃用ヘッドに対し固定状態にあるため、清掃対象面における使用者が必要とする位置に洗浄液を適切に散布し難いという難点があった。また、清掃用ヘッドに不織布シートを保持する場合に、通常の長方形状の不織布シートでは清掃用ヘッドに設けられた洗浄液噴出部が不織布シートにより覆われてしまうおそれがあるため、洗浄液噴出部を露出し得るような特別な形状の不織布シートを用いる必要があり、使用者にとっては不織布シートの選択性が狭められるという問題があった。
【特許文献１】特表２００３−５０６１１０号公報
【発明の開示】
【発明が解決しようとする課題】
【０００４】
本発明は、従来技術に存した上記のような課題に鑑み行われたものであって、その目的とするところは、清掃用処理液を所要位置に向けて噴出させることができ、シート状清掃材を清掃用ヘッドに保持して清掃を行う場合に、そのシート状清掃材により噴出部からの清掃用処理液の噴出が妨げられることが回避される清掃用具を提供することにある。
【課題を解決するための手段】
【０００５】
上記目的を達成する本発明の清掃用具は、
少なくとも底面側に清掃材を保持してその清掃材で対象面を清掃する清掃用ヘッドと、清掃用ヘッドの上側に基部が連結されている柄を備える清掃用具であって、
前記柄に、清掃用処理液を前方に噴出するための噴出部が固定的に設けられており、
前記柄は、前記清掃用ヘッドに対する前後の傾斜角度及び各前後傾斜角度位置における左右の傾斜角度が、それぞれ所定以上の範囲で可変であり、
噴出部から清掃用処理液を噴出させるための操作部を備えることを特徴とする。
【０００６】
操作部の操作により、清掃用ヘッドの上側に基部が連結されている柄の基部側に固定的に設けられた噴出部から清掃用処理液を前方へ噴出させることにより対象面に清掃用処理液を配しつつ、対象面の清掃を行うことができる。
【０００７】
柄の左右傾斜角度および／または前後傾斜角度（左右傾斜角度及び前後傾斜角度の両方又は一方）を適宜変更して操作部を操作することにより、柄の基部側に固定的に設けられた噴出部から清掃用処理液を前方の所要位置に向けて噴出させることができる。
【０００８】
また、清掃用処理液用の噴出部が柄の基部側に固定的に設けられているので、清掃用ヘッドの少なくとも底面側並びに前縁部及び前部上側を覆う状態でシート状清掃材を清掃用ヘッドに保持して清掃を行う場合に、そのシート状清掃材により噴出部からの清掃用処理液の噴出が妨げられることが回避される。
【０００９】
本発明の清掃用具は、清掃用ヘッドの上側に、柄の基部を連結した位置付近から清掃用ヘッドの前縁部まで下降傾斜する清掃用処理液流下部を備えるものとすることができる。
【００１０】
この場合、噴出部から噴出した清掃用処理液の一部が清掃用ヘッドよりも前方の対象面に到達せずに清掃用処理液流下部上に落下した場合に、その清掃用処理液は、清掃用処理液流下部上を清掃用ヘッドの前縁部まで流下するか、或いは清掃用処理液流下部の一部又は全部を清掃材が覆っている場合は清掃材上を流れたり清掃材に吸収される。そのため、清掃用処理液が清掃用ヘッド上に滞留することが回避される。
【発明の効果】
【００１１】
本発明の清掃用具によれば、柄の左右傾斜角度および／または前後傾斜角度を適宜変更して操作部を操作することにより、柄の基部側に固定的に設けられた噴出部から清掃用処理液を前方の所要位置に向けて噴出させることができる。また、清掃用処理液用の噴出部が柄の基部側に固定的に設けられているので、清掃用ヘッドの少なくとも底面側並びに前縁部及び前部上側を覆う状態でシート状清掃材を清掃用ヘッドに保持して清掃を行う場合に、そのシート状清掃材により噴出部からの清掃用処理液の噴出が妨げられることが回避される。
【発明を実施するための最良の形態】
【００１２】
本発明の実施の形態を、図面に表した清掃用具の例を中心として説明する。
【００１３】
図１は、柄体の一部を省略した清掃用具の斜視図、図２は、柄体の一部を省略した清掃用具の前後方向断面図、図３は、柄体の一部を省略した清掃用具の正面図、図４は、清掃用具の要部破断斜視図、図５は、清掃用具の要部側面図、図６は、清掃用具の要部断面図である。
【００１４】
清掃用具Ｔは、清掃用ヘッドＨと、清掃用ヘッドＨの上側に基部が連結されている柄体Ｄを備える。
【００１５】
清掃用ヘッドＨは、平面等脚台形状（清掃用ヘッドは、平面略長方形状等の適宜形状、特に平面形状において長手方向と短手方向を有する適宜形状を選択し得る）の板状又は薄形箱形状のヘッド本体ＨＡと、そのヘッド本体ＨＡの下面全体をカバーするように下面側に取り付けられたエラストマー材料製の弾力性を有するクッション底部ＨＢからなる。清掃用ヘッドＨは短手方向が前後方向であり、清掃用ヘッドＨの平面等脚台形状を構成する平行な２辺のうち長い方の辺が前辺ＨＦ、短い方の辺が後辺ＨＲである。なお、清掃用ヘッドは、平面形状において長手方向と短手方向を有する
【００１６】
ヘッド本体ＨＡの上部の前後における両側位置には、清掃用ヘッドＨの底面に配した清掃用シートＷの前後縁部付近を押し込んで保持するためのシート状縁部保持部が設けられている。シート状縁部保持部１２は、ゴム状材料製の複数の舌片間にシート状縁部を保持するものである。
【００１７】
ヘッド本体ＨＡの上側の横方向中央部における前後方向中央部よりもやや後側の位置（前後方向の中央から後端に向かってその間の５分の１乃至５分の２の間）に、外方突出部Ｊ３を有する回動連結部材ＪＡを介して柄体Ｄが連結されている。回動連結部材ＪＡは、ヘッド本体ＨＡに対し横方向の回動軸線の回りに回動可能なように連結されている。
【００１８】
回動連結部材ＪＡは、軸受筒状部ＪＢの周方向の１箇所（必ずしも１箇所に限らない）に、柄体Ｄの基部を連結するための、上部が略半円形板状で下部が方形板状（これに限らない）をなす外方突出部Ｊ３（なお、例えば外方突出部自体を柄体の基部とすることもできる）を有する。
【００１９】
柄体Ｄの基端部は、平行状に相対する支持突部ＤＡからなり、両支持突部ＤＡは、それぞれ略半円形板状（これに限らない）をなす。両支持突部ＤＡ間には縦断面略Ｕ字状の溝状間隙部Ｕが形成されている。この柄体Ｄの溝状間隙部Ｕに、外方突出部Ｊ３が平行状に挿入された状態で、両支持突部ＤＡと外方突出部Ｊ３が、回動連結部材ＪＡの回動軸線に直交する方向の連結軸Ｃにより連結されている。これにより、柄体Ｄは、回動連結部材ＪＡにおける軸受筒状部ＪＢの回動軸線のまわりに回動して前後方向ＲＡ−ＲＡの傾斜角度が可変であると共に、回動連結部材ＪＡに対し連結軸Ｃのまわりに左右方向ＲＢ−ＲＢに回動が可能なように連結されている。柄体Ｄは、清掃用ヘッドＨに対する前後の傾斜角度及び各前後傾斜角度位置における左右の傾斜角度がそれぞれほぼ１８０度可変である。
【００２０】
外方突出部Ｊ３（被支持突部）の外周部のうち、連結軸Ｃのほぼ両側方位置に、それぞれ外周側回動阻止突部ＪＣを有する。両外周側回動阻止突部ＪＣは、約１８０度中心角を隔てて位置する。一方、溝状間隙部Ｕの基底部ＵＡに、片持支持部ＤＦにより柄体Ｄの軸線方向基端向きに弾性的に突出するよう支持された基底側回動阻止突部ＤＥが設けられている。
【００２１】
柄体Ｄの中間部における後側には、洗浄液ボトルＢ（洗浄液に限るものではない）を、その口部Ｂ１側を下向きに嵌合させて保持するための、上方開口の洗浄液保持部Ｌを備える。
【００２２】
洗浄液ボトルＢの口部Ｂ１には、栓体Ｐとキャップ部Ｑからなる開閉栓機構が設けられている。キャップ部Ｑには、空気抜きパイプＡ１が連結されている。
【００２３】
洗浄液保持部Ｌは、栓体Ｐを収容したキャップ部Ｑを口部Ｂ１に螺合させた洗浄液ボトルＢのキャップ部Ｑを嵌合保持するための嵌合保持部ＬＡを有する。
【００２４】
柄体Ｄの上端には後方屈曲の把手ＤＢが設けられ、柄体Ｄにおける把手ＤＢの下側に洗浄液噴出操作のための操作レバーＤＣ（操作部）が設けられている。また柄体Ｄの基端部の前側に、供給される洗浄液（艶出し液等の洗浄液以外の清掃用処理液であってもよい）を前方へ噴出するための洗浄液噴出部ＤＤが固定的に設けられている。操作レバーＤＣを把手ＤＢ側へ引くことにより、洗浄液保持部Ｌに保持した洗浄液ボトルＢ内の洗浄液を流下させて洗浄液噴出部ＤＤから噴出させることができる。なお、操作部は柄体の先端部又はその近傍に設けることが好ましい。
【００２５】
清掃用ヘッドＨの上側における横方向中央部には、柄体Ｄの基端部を連結した回動連結部材ＪＡの基部である軸受筒状部ＪＢの位置から清掃用ヘッドＨの前辺ＨＦ（前縁部）まで下降傾斜して幅広溝の溝底状をなす清掃用処理液流下部ＨＣを有する。
【００２６】
清掃を行なうには、清掃用ヘッドＨのクッション底部ＨＢの底面ＨＢ１を清掃用シートＷで覆った状態でその清掃用シートＷの前後縁部を清掃用ヘッドＨの上側の前後各位置における左右のシート状縁部保持部１２により保持する。その上で、清掃者は、必要に応じ操作レバーＤＣを引くことにより洗浄液を洗浄液噴出部ＤＤから噴出させて床面等の清掃対象面上に散布しつつ、柄体Ｄを把持して清掃対象面をクッション底部ＨＢの底面側に位置する清掃用シートＷにより拭いて清掃を行なう。
【００２７】
柄体Ｄの左右傾斜角度および／または前後傾斜角度を適宜変更して操作レバーＤＣを操作することにより、柄体Ｄの基端部の前側に設けられた洗浄液噴出部ＤＤから、洗浄液を前方の所要位置に向けて噴出させることができる。また、洗浄液噴出部ＤＤが柄体Ｄの基端部に設けられているので、清掃用ヘッド自体に噴出部が設けられる場合と異なり、クッション底部ＨＢの底面ＨＢ１並びに清掃用ヘッドＨの前部上側及び後部上側を覆う清掃用シートＷにより洗浄液噴出部ＤＤからの洗浄液の噴出が妨げられることが回避される。
【００２８】
また、洗浄液噴出部ＤＤから噴出した洗浄液の一部が清掃用ヘッドＨよりも前方の清掃対象面に到達せずに清掃用処理液流下部ＨＣ上に落下した場合に、その洗浄液は、清掃用処理液流下部ＨＣ上を清掃用ヘッドＨの前縁部まで流下するか、或いは清掃用シートＷ上を流れたり清掃用シートＷに吸収される。そのため、洗浄液が清掃用ヘッドＨ上に滞留することが回避される。
【００２９】
通常の使用状態において柄体Ｄと清掃用ヘッドＨが連結軸Ｃを中心としてなす角度においては、平行状に相対する支持突部ＤＡ間の溝状間隙部Ｕの基底部ＵＡに位置する基底側回動阻止突部ＤＥは、外方突出部Ｊ３の外周部から径方向にやや離隔した状態が保たれ、連結軸Ｃのほぼ両側方位置に位置する外周側回動阻止突部ＪＣと基底側回動阻止突部ＤＥが接することはない。
【００３０】
清掃用具を使用せずに収納する場合に、清掃用ヘッドＨを柄体Ｄに対し連結軸Ｃのまわりに回動させて清掃用ヘッドＨの長手方向を柄体Ｄの軸線方向とほぼ平行にしようとすると、外周側回動阻止突部ＪＣと基底側回動阻止突部ＤＥが、主として基底側回動阻止突部ＤＥが弾性的に径方向外方に押し込まれることにより互いに相手方を乗り越えた後、基底側回動阻止突部ＤＥが弾性的に復元する。これにより、柄体Ｄに対し清掃用ヘッドＨがその自重により逆向きに回動することが阻止される。なお、外周側回動阻止突部と基底側回動阻止突部は、それぞれ突部の全部を乗り越えるものでなく、一部を乗り越えて逆向き回動を阻止し得るものでもよい。
【００３１】
再使用時には、清掃用ヘッドＨの自重によるものを越える所定の逆向き回動力を加えることにより、主として基底側回動阻止突部ＤＥが弾性的に径方向外方に押し込まれることにより互いに逆向きに乗り越えさせ、連結軸Ｃを中心とした柄体Ｄに対する清掃用ヘッドＨの角度を通常の清掃時の角度に戻して清掃に使用することができる。
【００３２】
基底側回動阻止突部ＤＥは支持突部ＤＡ間の溝状間隙部Ｕの基底部ＵＡに位置するので、外周側回動阻止突部ＪＣと基底側回動阻止突部ＤＥの間の乗り越え及び逆向き乗り越えは、外部に露出していない箇所において行なわれる。そのため、回動阻止機構の損傷が防がれると共に、外観が損なわれない。
【００３３】
また、外周側回動阻止突部ＪＣと基底側回動阻止突部ＤＥの間の乗り越え及び逆向き乗り越えは、主として基底側回動阻止突部ＤＥの径方向の弾性的突出力によるものであるため、繰り返し行なわれる乗り越え及び逆向き乗り越えにより支持突部ＤＡ同士の間隔を部分的に拡開させるような作用は実質上生じない。そのため、回動阻止力が弱まって清掃用ヘッドＨの自重により逆向きに乗り越え得るようになることが防がれる。
【図面の簡単な説明】
【００３４】
【図１】柄体の一部を省略した清掃用具の斜視図である。
【図２】柄体の一部を省略した清掃用具の前後方向断面図である。
【図３】柄体の一部を省略した清掃用具の正面図である。
【図４】清掃用具の要部破断斜視図である。
【図５】清掃用具の要部側面図である。
【図６】清掃用具の要部断面図である。
【符号の説明】
【００３５】
１２    シート状縁部保持部
Ａ１    空気抜きパイプ
Ｂ      洗浄液ボトル
Ｂ１    口部
Ｃ      連結軸
Ｄ      柄体
ＤＡ    支持突部
ＤＢ    把手
ＤＣ    操作レバー
ＤＤ    洗浄液噴出部
ＤＥ    基底側回動阻止突部
ＤＦ    片持支持部
Ｈ      清掃用ヘッド
ＨＡ    ヘッド本体
ＨＢ    クッション底部
ＨＢ１  底面
ＨＣ    清掃用処理液流下部
ＨＦ    前辺
ＨＲ    後辺
Ｊ３    外方突出部
ＪＡ    回動連結部材
ＪＢ    軸受筒状部
ＪＣ    外周側回動阻止突部
Ｌ      洗浄液保持部
ＬＡ    嵌合保持部
Ｐ      栓体
Ｑ      キャップ部
Ｔ      清掃用具
Ｕ      溝状間隙部
ＵＡ    基底部
Ｗ      清掃用シート
【図１】
2007054338.tif 000003
【図２】
2007054338.tif 000004
【図３】
2007054338.tif 000005
【図４】
2007054338.tif 000006
【図５】
2007054338.tif 000007
【図６】
2007054338.tif 000008